(57)【特許請求の範囲】
【請求項１】
火災感知器が収容されるハウジングと、該火災感知器の試験を行う発煙剤を封入したガスボンベと、該ガスボンベから前記ハウジング内に発煙剤を放出するノズルと、該ノズルを押下するノズル押下体と、該ノズル押下体を操作する操作レバーと、を備えた加煙試験器であって、
前記操作レバーは、前記ノズルを挟む２本の柱状体を備えており、
該操作レバーの基端部は、軸受の軸穴に嵌着される外方突起により、前記ハウジング内に回転可能に支持され、その自由端部は、前記加煙試験器の側面に設けた開口部から外部に向かって突出するとともに、連結部材により連結され、
該連結部材の中央には、前記操作レバーの引っ張り部材が設けられており、
前記軸穴は、前記外方突起の径より大きく形成するとともに、縦長に形成して前記外方突起を遊嵌合させ、
前記開口部には、前記ハウジングの一部によって形成された遮蔽部材である垂れ幕が前記柱状体の間に挿入されて設けられていることを特徴とする加煙試験器。
【発明の詳細な説明】
【技術分野】
【０００１】
この発明は、火災感知器の動作を試験するために用いる、加煙試験器に関するものである。
【背景技術】
【０００２】
従来の加煙試験器は、天井に設置された火災感知器が収容されるハウジングと、発煙剤を封入したガスボンベと、該ガスボンベから前記ハウジング内に発煙剤を放出するノズルと、該ノズルを押下するノズル押下体と、該ノズル押下体を操作する操作ワイヤーと、前記火災感知器が設置された天井付近まで前記加煙試験器を近づけるための支持棒と、を備えている。
【０００３】
前記火火災感知器の試験を行うときには、前記支持棒を押し上げて前記ハウジングを被検査対象の火災感知器に近づけるとともに、該ハウジング内に収容する。その後、ハウジング内に設置されたコンタクト板を前記火災感知器に押し付けてノズル押下体を押し下げるか、又は、操作ワイヤーを引いて前記ノズル押下体を押し下げると、前記ボンベ内の発煙剤が前記ノズルから前記ハウジング内に放出される。そのため、ハウジング内は火災の様な状態（擬似火災状態）となるので、火災感知器の作動状態を試験することができる。
【先行技術文献】
【特許文献】
【０００４】
【特許文献１】特開平９−１６１１７１号公報
【発明の概要】
【発明が解決しようとする課題】
【０００５】
従来例では、操作レバーの板状の基端部がねじで固定されているので、基端部の反対側にある自由端部を引き下げる時に前記基端部側に大きな反力が発生する。そのため、操作レバーの操作をスムーズに行えないことがある。また、加煙試験器には、操作レバー摺動用の開口部が設けられているが、この開口部からハウジング内の煙が漏れてしまい、必要以上に発煙剤を放出する必要がある。そのため、効率良く試験ができないことがある。
【０００６】
この発明は、上記事情に鑑み、操作レバーが円滑に操作できるようにすることを目的とする。他の目的は、開口部からの煙の漏出を抑制することである。
【課題を解決するための手段】
【０００７】
この発明は、火災感知器が収容されるハウジングと、該火災感知器の試験を行う発煙剤を封入したガスボンベと、該ガスボンベから前記ハウジング内に発煙剤を放出するノズルと、該ノズルを押下するノズル押下体と、該ノズル押下体を操作する操作レバーと、を備えた加煙試験器であって、前記操作レバーは、前記ノズルを挟む２本の柱状体を備えており、該操作レバーの基端部は、軸受の軸穴に嵌着される外方突起により、前記ハウジング内に回転可能に支持され、その自由端部は、前記加煙試験器の側面に設けた開口部から外部に向かって突出するとともに、連結部材により連結され、該連結部材の中央には、前記操作レバーの引っ張り部材が設けられており、前記軸穴は、前記外方突起の径より大きく形成するとともに、縦長に形成して前記外方突起を遊嵌合させ、前記開口部には、前記ハウジングの一部によって形成された遮蔽部材である垂れ幕が前記柱状体の間に挿入されて設けられていることを特徴とする。
【発明の効果】
【０００９】
この発明は、以上のように構成したので、操作レバーを引くと、その基端が回転するため、円滑に操作できる。また、開口部に遮蔽部材を設けたので、ハウジング内の煙が前記開口部から流出するのを抑制することができる。そのため、従来例に比べ、効率良く試験結果を得ることができる。
【図面の簡単な説明】
【００１０】
【図１】本発明の第１実施形態を示す正面図である。
【図２】本発明の第１実施形態を示す平面図である。
【図３】ハウジングの拡大正面図である。
【図４】操作レバーの拡大平面図である。
【図５】操作レバーの拡大正面図である。
【図６】操作レバーの拡大斜視図である。
【図７】本発明の第1実施形態を示す縦断面図である。
【図８】本体の開口部の拡大正面図である。
【発明を実施するための形態】
【００１１】
本発明の第1実施の形態を図１〜図８により説明する。加煙試験器１は、火災感知器（図示省略）が収容されるハウジング３と、該火災感知器の試験を行う発煙剤を封入したガスボンベ５と、該ガスボンベ５から前記ハウジング３内に発煙剤を放出するノズル７と、該ノズル７を押下するノズル押下体９と、該ノズル押下体９を操作する操作レバー１１と、を備えている。
【００１２】
加煙試験器１の本体１３には、前記ハウジング３が固定されているが、このハウジング３は、煙感知器の全体、又は、検出部のみを覆える大きさで、外周は蛇腹状に形成された樹脂製の円筒状体であり、中心軸方向に伸縮可能である。このハウジング３の下端には、遮蔽部材が設けられている。例えば、遮蔽部材として、垂れ幕６が垂設されているが、この垂れ幕６は、例えば、シリコン等の樹脂からなる前記ハウジング３の一部によって形成されている（図３参照）。前記垂れ幕６は、加煙試験器１の本体１３の側面１３ｓに形成された開口部４を閉鎖し、前記ハウジング３内の煙が外部に漏出するのを防止する。なお、垂れ幕６は、薄い板状の物でも、厚い板状の物でも、どちらでも良い。
【００１３】
また、この垂れ幕６は、前記ハウジング３を前記本体１３に取付ける際、互いに平行な2本の柱状体からなる操作レバー１１の間に挿入することで、位置合わせなどの為の目印となるので、生産性を向上させることができる。前記垂れ幕６は、例えば、前記開口部４の形状に対応した、長方形状に形成されており、前記開口部４の両側には前記操作レバー１１の柱体が通る隙間（通路空間）１１ａ，１１ａが設けられている。従って、前記開口部４は、前記垂れ幕６により、前記通路空間１１ａを残して封鎖されることになる。
【００１４】
前記ガスボンベ５は、本体１３に螺着されるボンベカバー２に収容されている。前記本体１３は、支持フレーム１２に一方向にだけ４５°回動可能に支持されている。この支持フレーム１２の取付部１２ａには、所定の長さを有するロッドなどの支持棒が取付けられる。この取付部１２ａには、楕円形に貫通した取付孔が設けられ、支持棒に形成された突状の取付部に嵌合することで、ワンタッチで取付けられる。
【００１５】
前記ノズル７は、本体１３の中心軸上に上下動可能に支持されている。このノズル７の先端側には、火災感知器と接触するコンタクト板１５が設けられている。コンタクト板１５は、上下方向に貫通した孔が同心状に８つ設けてあり、平面が略蓮状に形成されている。これにより、ノズル７から放出された発煙剤がコンタクト板１５に妨害されることなく、火災感知器の試験部に流入する。前記ノズル押下体９は、前記本体１３の底部に上下動可能に支持されている。
【００１６】
操作レバー１１は、ノズル７を挟む、互いに平行な２本の柱状体、例えば、円柱により形成されている。この操作レバー１１は、図４〜図６に示すように、本体部１１ａと、該本体部１１ａの一端側の基端部１１ｂと、その他端側の自由端部１１ｃと、を備えている。
【００１７】
前記２本の柱状体の基端部１１ｂには、外方に突出する外方突起１６が設けられ、この外方突起１６は、本体１３内に設けられた軸受２０の軸穴に嵌着されている（軸支）。これにより、操作レバーの基端部１１ｂは、ハウジング３内に回動可能に支持される。この軸穴は、前記外方突起１６と略同径に形成されている。前記軸穴を前記外方突起１６の径より大きく形成するとともに、縦長に形成し、該外方突起１６を遊嵌合させるようにしてもよい。このように遊嵌合させることで、軸支持部に遊びができ、操作レバーを押下げた時の力が全てノズル押下体９に伝わるので、ねじで固定されているものよりも操作感が向上する。
【００１８】
前記本体部１１ａの基端部１１ｂ寄りには、Ｕ字状の作用点部１８が設けられている。この作用点部１８から自由端部１１ｃ側の端までの長さは、その基端部１１ｂ側の端までの長さよりも長く形成されている。その自由端部１１ｃは、加煙試験機１の本体１３側面に設けた開口部４から外部に向かって突出しており、その自由端部１１ｃは連結部材１７により連結されている。前記自由端部１１ｃの連結部材１７の中央には、操作レバー１１の引っ張り部材（図示省略）、例えば、ワイヤー、が連結されている。
【００１９】
次に、本実施形態の作動について説明する。本件加煙試験器１では、試験の際に、（１）コンタクト板１５を火災感知器に押し付けてノズル押下体９を押下げる操作をする場合と、（２）操作レバー１１に連結されたワイヤーを引いて前記ノズル押下体９を押し下げる操作をする場合と、がある。通常、火災感知器は天井に配設されているが、点検作業者が、該火災感知器の真下に立つことができる場合には、前者（１）の操作方法が用いられる。しかし、前記火災感知器の真下に棚や工作機械等が設置された場合には、点検作業者は、該火災感知器の真下に立つことができない。そのため、前者（１）の操作方法である、コンタクト板１５を火災感知器に押し付けてもうまく力が伝わらず、ガスボンベ内の発煙剤をハウジング内に放出することができない。そこで、この場合には、後者（２）の操作方法が用いられる。ここでは、前者（１）についての説明は省略し、後者（２）についてのみ説明する。
【００２０】
点検作業者は、天井に配設されている、検査対象の火災感知器の真下近傍に移動し、該火災感知器に向かって支持フレーム１２に連結されている支持棒を突き上げる。そして、該加煙試験器１のハウジング３を該天井に当接させることで、火災感知器をハウジング３で覆う。この時、開口部４は、垂れ幕６により閉鎖されているので、該火災感知器はハウジング３内により隙間が少ない状態で収容される。
【００２１】
この状態で、操作レバー１１のワイヤを引くと、該操作レバー１１は、基端部１１ｂの外方突起１６を中心にして回転しながら、操作レバー１１の作用点部１８がノズル押下体９を押下げる。この時、操作レバー１１の自由端部１１ｃは、通路空間１１ａ内を下降し、図８の実線の位置から一点鎖線の位置（開口部４の下辺）まで移動する。
【００２２】
そうすると、ノズル７が開放され、発煙剤がハウジング３内に放出されるので、該ハウジング３内に煙が充満し、擬似火災状態となる。この時における前記火災感知器の作動の有無をチェックする。即ち、前記火災感知器が作動すれば、正常であり、作動しなければ、異常である。
【００２３】
前述のように、開口部４は、垂れ幕６により通路空間１１ａを残して封鎖されているので、従来例と異なり、ハウジング３内の煙が外部へ漏出するのを抑制することができる。そのため、従来例に比べ、効率良く試験を行うことができる。
【００２４】
また、前記操作レバー１１は、軸支されているので、その自由端を引き下げると、基端部が回動し、円滑にノズル押下体を押し下げることができる。そのため、従来例に比べ、操作性の向上を図ることができる。
【００２５】
この発明の実施形態は、上記に限定されるものではなく、例えば、次の様にしてもよい。
（１）遮蔽部材として、ハウジングの一部をなす垂れ幕を用いる代わりに、該ハウジングと別体に形成した遮蔽体を操作レバーの上側に固定し、該操作レバーの上下動に伴って該遮蔽板を本体内面に沿って摺動させ、開口部を開閉させる。
【００２６】
（２）操作レバーの基端部に外方突起を設ける代わりに、両基端部を連結部材で連結し、該連結部材を回動可能に支持する。
（３）操作レバー１１は、２本の柱状体を連結部材１７で連結して形成されているが、１本の円柱を折り曲げて形成しても良い。
（４）操作レバー１１の形状は、円柱状に限定される必要はなく、角柱や板材等で形成しても良い。
（５）ノズル７及びノズル押下体９は別体である必要はなく、一体で形成しても良い。
【符号の説明】
【００２７】
１      加煙試験器
３      ハウジング
４      開口部
５      ガスボンベ
７      ノズル
９      ノズル押下体
１１    操作レバー
１３    加煙試験器の本体
１３ｓ  本体の側面
１６    外方突起
１７    連結部材
２０    軸受
【図１】
0005463260.tif 000002
【図２】
0005463260.tif 000003
【図３】
0005463260.tif 000004
【図４】
0005463260.tif 000005
【図５】
0005463260.tif 000006
【図６】
0005463260.tif 000007
【図７】
0005463260.tif 000008
【図８】
0005463260.tif 000009